(57)【要約】【課題】  本考案の課題は、底面と上面との頂角を結んだ角形成辺のある容器において、商品名や容器に内包された内容物の成分等の情報を記載したラベルを容易に貼着させた容器を提供することにある。【解決手段】  本考案の容器によれば、容器に対して比較的小さなラベルであるため、比較的容易にラベルを容器本体に貼着させることができ、ラベルが容器本体の底面に対して多少傾いても、ラベルのずれをあまり感じさせることがなく、見た目に綺麗な容器とすることができる。そして、容器の角度を変えることで、ラベルに記載された全ての情報を認識することができる。【選択図】図４
0003110573.tif 000002
【実用新案登録請求の範囲】
【請求項１】
少なくとも１つの頂角を有する底面、少なくとも１つの頂角を有する上面、及び、前記底面と前記上面との端縁をつなぐように立設される側面により形成され、前記底面の頂角と前記上面の頂角とを結んだ角形成辺を前記側面に有する容器本体と、
所定の情報を記載した領域を備え、前記領域が前記角形成辺に跨って前記側面に貼着されるラベルとを有することを特徴とする容器。
【請求項２】
前記領域は、少なくとも商品名及び前記容器本体に内包される内容物の成分の情報が記載されることを特徴とする請求項１記載の容器。
【請求項３】
前記容器本体は、前記底面及び前記上面の形状を４角形とした略４角柱状であることを特徴とする請求項１記載の容器。
【請求項４】
前記ラベルは、１枚であることを特徴とする請求項１記載の容器。
【請求項５】
前記領域は、前記第１の領域と前記第１の領域とは別の情報が記載された前記第２の領域とに別れ、前記第１の領域と前記第２の領域との間を前記角形成辺に合わせるように前記ラベルを貼着させたことを特徴とする請求項１記載の容器。
【請求項６】
前記ラベルは、前記第１の領域に商品名が記載され、前記第２の領域に前記容器本体に内包される内容物の成分の情報が記載されることを特徴とする請求項５記載の容器。
【請求項７】
前記ラベルは、前記第１の領域と前記第２の領域との間に間隔を設け、該間隔を前記角形成辺に合わせるように前記ラベルを貼着させることを特徴とする請求項５記載の容器。
【請求項８】
前記第１の領域と前記第２の領域とは、色分けされていることを特徴とする請求項５記載の容器。
【考案の詳細な説明】
【技術分野】
【０００１】
本考案は、底面と上面との頂角を結んだ角形成辺を側面に有し、その角形成辺を跨ぐようにラベルを貼着させた容器に関する。
【背景技術】
【０００２】
４角柱といった底面と上面との頂角を結んだ角形成辺を側面に有する容器は、種々存在し、その容器に内包して内容物を保管している。その容器を使用して内包する内容物を販売、提供する場合、その商品名や内包する内容物の成分等が記載されたラベルがその容器の側面に貼着される。中でも、商品名や成分等の情報が１枚に記載されたラベルを単に貼着させたものがある。この場合、容器が十分に大きければ貼着するラベルに種々のデザインを施すことができるが、容器があまり大きくないものであると、ラベルの大きさも小さくなり、商品名や成分等の情報を記載する空間が少なくなってしまう。したがって、商品名の印象が薄くなり、成分が見難くなる。
【０００３】
そこで、図１のような４角柱の容器９０がある。これは、図１（ａ）のように、容器９０の１つの側面に商品名を記載したラベル９１を貼着させ、図１（ｂ）のように、ラベル９１を貼着した側面の対面に成分等のその他の情報を記載したラベル９２を貼着させた容器９０である。また、４角柱の容器の周囲を囲うように商品名と成分等の情報が記載されたラベルを貼着させた容器もある（例えば特許文献１参照）。
【０００４】
【特許文献１】特開平６−１４４４３２号公報
【考案の開示】
【考案が解決しようとする課題】
【０００５】
しかしながら、図１に示されたような容器は商品名と成分等の情報を見るためには、容器を回転させなければならない。また、特許文献１に記載されているような容器の場合、商品名や成分等の情報を記載した１枚のラベルで容器の周囲を囲うため、ラベルがずれないように綺麗に貼着することは難しく、特許文献１に示されたような専用の装置を必要とする。
【０００６】
そこで、本考案は、上記実状に鑑み、底面と上面との頂角を結んだ角形成辺のある容器において、商品名や容器に内包された内容物の成分等の情報を記載した１枚のラベルを容易に貼着させた容器を提供することを目的とする。
【課題を解決するための手段】
【０００７】
少なくとも１つの頂角を有する底面、少なくとも１つの頂角を有する上面、及び、前記底面と前記上面との端縁をつなぐように立設される側面により形成され、前記底面の頂角と前記上面の頂角とを結んだ角形成辺を前記側面に有する容器本体と、所定の情報を記載した領域を備え、前記領域が前記角形成辺に跨って前記側面に貼着されるラベルとを有することを特徴とする。
【０００８】
本考案の容器によれば、容器の周囲を囲むような大きなラベル必要としない。容器に対して比較的小さなラベルであるため、比較的容易にラベルを容器本体に貼着させることができ、ラベルが容器本体の底面に対して多少傾いても、ラベルのずれをあまり感じさせることがなく、見た目に綺麗な容器とすることができる。そして、容器の角度を変えることで、ラベルに記載された全ての情報を認識することができる。
【０００９】
前記領域は、少なくとも商品名及び前記容器本体に内包される内容物の成分の情報が記載されることを特徴とする。これにより、容器に内包される内容物の商品名と成分の情報がわかる。また、容器の角度を変えて見ることで、商品名と成分の情報の両方を見ることができる。
【００１０】
本考案の容器において、前記容器本体は、前記底面及び前記上面の形状を４角形とした略４角柱状であることを特徴とする。これにより、容器の陳列が容易となる。
【００１１】
本考案の容器において、前記ラベルは、１枚であることを特徴とする。これにより、１枚のラベルを容器本体に貼着させると、２枚のラベルを容器本体に貼着させるよりも手間を省くことができる。
【００１２】
本考案の容器において、前記領域は、前記第１の領域と前記第１の領域とは別の情報が記載された前記第２の領域とに別れ、前記第１の領域と前記第２の領域との間を前記角形成辺に合わせるように前記ラベルを貼着させたことを特徴とする。これにより、ラベルの第１の領域と第２の領域との間に、角形成辺に対応する折り目が形成される。この折り目により、第１の領域と第２の領域に記載された情報を別々に認識することができ、ラベルが見やすい容器となる。
【００１３】
本考案の容器において、前記ラベルは、前記第１の領域に商品名が記載され、前記第２の領域に前記容器本体に内包される内容物の成分の情報が記載されることを特徴とする。これにより、ラベルは、商品名と成分の情報との間を角形成辺に合わせることで商品名と成分の情報との間に折り目が形成され、商品名と成分の情報とを別々に認識させることができる。そして、成分の中に商品名が埋もれることで印象が薄くなってしまうという問題点を解決することができる。
【００１４】
本考案の容器において、前記ラベルは、前記第１の領域と前記第２の領域との間に間隔を設け、該間隔を前記角形成辺に合わせるように前記ラベルを貼着させることを特徴とする。第１の領域と第２の領域とに間隔を設けることで、容器本体の角形成辺に第１の領域又は第２の領域に記載される情報が掛からなくなり、それぞれに記載される情報が見やすくなる。また、この間隔が容器本体の角形成辺に対応するため、ラベルを貼着させる際の目印となり、ラベルの貼着の容易性を向上させることができ、より見た目に綺麗な容器とすることができる。
【００１５】
本考案の容器において、前記第１の領域と前記第２の領域とは、色分けされていることを特徴とする。第１の領域と第２の領域とを色分けすることにより、第１の領域と第２の領域とを明確に分けることができる。すなわち、第１の領域と第２の領域とに記載されている情報が見やすくなる。
【考案の効果】
【００１６】
本考案の容器によれば、容器の周囲を囲むような大きなラベル必要としない。容器に対して比較的小さなラベルであるため、比較的容易にラベルを容器本体に貼着させることができ、ラベルが容器本体の底面に対して多少傾いても、ラベルのずれをあまり感じさせることがなく、見た目に綺麗な容器とすることができる。そして、容器の角度を変えることで、ラベルに記載された全ての情報を認識することができる。
【考案を実施するための最良の形態】
【００１７】
以下、本考案の容器について、図面を参照しながら詳細に説明する。本考案は、これに限定されるものではなく、本考案の要旨を逸脱しない範囲において適宜変更可能である。
【００１８】
本考案の容器１は、容器本体２とラベル３によって構成されている。容器本体２は、図２に示されるように、４つの側面２０と、略４角形の底面２１と、開口２３を有する略４角形の上面２２と、開口２３を封止する蓋部２４とを有している。底面２１は、４つの頂角２１０を有している。４つの側面２０は、底面２１の縁に沿って立設されている。上面２２は、４つの頂角２２０を有する底面２１と略同じ形状で、側面２０の底面２１とは反対側の端縁に形成される。そして、側面２０には、底面２１の４つの頂角２１０と上面２２の４つの頂角２２０を結ぶ４つの角形成辺２００がある。
【００１９】
また、この容器本体２は、内部が空洞となっており、内容物を容器本体２の内部に内包することができる。さらに、容器本体２は、開口２３に蓋部２４を取り付けることにより開口を封止することができる。また、容器本体２の材質としては、容器本体３に内包する内容物の性質やラベルの接着剤にもよるが、特に限定されるものではなく、例えば、ガラス、樹脂、金属等が挙げられる。本考案においては、頂角２１０及び頂角２２０は丸くなっていてもよい。
【００２０】
図３は、容器本体に貼着されるラベルの一例を示す図である。容器本体２に貼着されるラベル３は、所定の情報が記載される第１の領域として少なくとも商品名が記載される商品名記載欄３０と、第１の領域とは別の情報が記載される第２の領域として少なくとも容器に内包される内容物の成分を表示する成分表示欄３１と商品名記載欄３０と成分表示欄３１との間に間隔３２とを有している。
【００２１】
商品名記載欄３０は、少なくとも容器本体２に内包される内容物の商品名が記載される領域である。この商品名記載欄３０に記載される内容としては、商品名のみの記載に限られるものではなく、商標、容器本体２に内包された内容物を取り扱う者の名称、価格等のその他の情報が記載されていてもよい。この商品名記載欄３０の大きさは、ラベル３の大きさにもよるが、特に限定されるものではなく、任意の大きさにすることができる。
【００２２】
成分表示欄３１は、少なくとも容器本体２に内包される内容物の成分の情報が記載される領域である。この成分表示欄３１に記載される内容としては、商品名のみの記載に限られるものではなく、商標、容器本体２に内包された内容物を取り扱う者の名称、価格等のその他の情報が記載されていてもよい。この成分表示欄３１の大きさは、ラベル３の大きさにもよるが、特に限定されるものではなく、任意の大きさにすることができる。
【００２３】
商品名記載欄３０と成分表示欄３１との間には間隔３２が設けられている。間隔３２は、商品名及び容器本体２に内包する内容物の成分等の情報が記載されない領域である。この間隔３２は、ラベル３が容器本体２に貼着される際、容器本体２の角形成辺２００が商品記載欄２０と成分表示欄３１との間となるように貼着されるための目印となる。これにより、商品名や容器本体２に内包する内容物の成分の情報が容器２の角形成辺２００に掛からないように商品名記載欄３０と成分表示欄３１とを容器本体２に備えることができる。商品名記載欄３０と成分表示欄３１との間に容器本体２の角形成辺２００に対応する折り目を配することができ、本考案の容器１を見た者に商品名記載欄３０と成分表示欄３１とを別々に認識させることができる。この間隔３２の大きさは、商品名記載欄３０や成分表示欄３１及びラベル３の大きさや角形成辺２００の形状にもよるが適宜変更することができる。
【００２４】
商品名記載欄３０と成分表示欄３１と間隔３２とを有するラベル３は、容器本体２に貼着させることができる。容器本体２にラベル３を貼着させる際、ラベル３は、容器本体２の角形成辺２００に間隔３２を合わせるように貼着される。このラベル３としては、紙、樹脂、金属等でできたシート状のものであれば特に限定されるものではなく、その大きさも容器本体２の大きさにもよるが、適宜変更することができる。ラベル３の商品名記載欄３０、成分表示欄３１及び間隔３２を有する面の裏側は、容器本体２に貼着できるように接着剤等が塗布されている。この接着剤は、容器本体２にラベル３を貼着できるものであれば、ラベル３を容器本体２から剥がすことを容易とする接着性の弱いものであっても、ラベル３を容器本体２から剥がれないように接着性の強いものであっても特に限定されるものではない。
【００２５】
図４は、本考案の容器の一例を示す図である。本考案の容器１は、容器本体２に商品名表示欄３０と成分表示欄３１と備えるために、ラベル３の接着剤の塗布された面を容器本体２に接触させるように容器本体２にラベル３を貼着させる。このとき、まず、ラベル３の間隔３２を容器本体２の４つの角形成辺２００のうち１つの角形成辺２００に合わせる。そして、角形成辺２００を挟む２つの側面２０のうちいずれか一方の側面２０に商品名表示欄３０を貼着させ、他方の側面２０に成分表示欄３１をそれぞれ貼着させる。このように容器１は、容器本体２の角形成辺２００を跨って、ラベル３を貼着させることができる。
【００２６】
このように、ラベル３を容器本体２の角形成辺２００を跨ぐように貼着させることで、商品名表示欄３０と成分表示欄３１との間に角形成辺２００に対応する折り目を備えることができ、商品名表示欄３０と成分表示欄３１とを分けて認識することができる。すなわち、商品名や成分の情報といった必要な情報を分けて認識することができるため、容器２の商品名や成分の情報が見やすくなる。そして、成分の中に商品名が埋もれることで印象が薄くなってしまうという問題点を解決することができる。また、図４に示されるように１枚のラベル３を容器本体２貼着させると、図１に示される従来例のように２枚のラベル９０、９１を貼着させるよりもラベル３を貼着させる手間を省くことができる。また、本考案の容器１は、ラベル３を容器本体２に貼着させることで商品名表示欄３０と成分表示欄３１との間に角形成辺２００に対応する折り目が形成され、ラベル３が１枚であるにも関わらず、商品名と成分表示とが別々に認識させることができる。したがって、商品名や成分の情報が見易い容器となる。
【００２７】
また、ラベル３の商品名表示欄２０と成分表示欄３１との間に間隔３２を備えることで、角形成辺２００に商品名表示欄２０や成分表示欄３１に記載された情報が掛かることを防ぐことができ、ラベル３を貼ることで表示される容器１に備えられる情報を見易くすることができる。また、上述のように、間隔３２を角形成辺２００に合わせてラベル３を貼着することができる。すなわち、間隔３２は、容器本体２にラベル３を貼着する目印となり、ラベル３を容器本体２に容易に貼着することができる。
【００２８】
ここで容器本体２に貼着されるラベル３は、容器本体２の一部分に貼着されるものであり、容器の周囲を囲うようなラベルに比べて小さいものである。したがって、容器の周囲を囲うようなラベルに比べて容易にラベル３を容器本体２に貼着することができる。そして、容器本体２に対してラベル３が多少傾いて貼着されたとしても、ラベルのずれをあまり感じさせることがなく、見た目に綺麗なラベルとなる。そして、角形成辺２００を中心とするようにラベル３を見る角度を変えることで商品名表示欄３０と成分表示欄３１を同時に見ることができる。
【００２９】
さらに、本考案の容器１の容器本体２が上述の実施の形態のように略４角柱であることにより陳列が容易となる。例えば、図５のように、複数の本考案の容器１を棚などに陳列すると、４角柱であることにより、それぞれの容器１を並べることが容易となり、綺麗に陳列することができる。そして、本考案の容器１は、このように陳列する際、商品名表示欄３０が備えられた側面２０のみが見えるように陳列することもできる。これにより、商品を購入しようとする者に対して、商品名を見易くすることもできる。また、成分表示欄３１を備えた側面２０のみが見えるように陳列することもできる。これにより、成分の情報を見易くすることもできる。
【００３０】
上述した実施の形態においては、図３に示されるラベル３を容器本体２に貼着させた容器１を例としているが、本考案はこれだけに限られるものではない。例えば、ラベル３に設けられている間隔３２は設けなくてもよい。これにより、ラベル３の第１の領域と第２の領域との間には角形成辺２００に対応する折り目が形成される。この折り目により、第１の領域と第２の領域に記載された情報を別々に認識することができる。そして、ラベル３に記載された情報が見やすい容器１となる。
【００３１】
また、第１の領域と第２の領域とを色分けを行ってもよい。これにより、第１の領域と第２の領域との境界が明確となり、第１の領域と第２の領域とに記載されている情報が見やすくなる。すなわち、ラベル３に記載された情報が見やすい容器１となる。
【００３２】
さらに、本考案の容器１の容器本体２に貼着させるラベルとしては、上述に示したラベル３のように第１の領域と第２の領域とに分けられたラベル３に限られるものではない。例えば、第１の領域と第２の領域の他に第３の領域を有していてもよい。この場合、第３の領域は、角形成辺２００を跨ぐように配置されていてもよい。この第３の領域としては、容器１に内包される内容物を取り扱う者の名称や製造した者の名称、その他文字、絵、マーク、模様等が記載されていてもよい。
【００３３】
本考案の容器１は、上述の実施の形態に記載された容器１に限られるものではない。例えば、実施の形態１で説明した容器本体２に、第１の領域、第２の領域のように明確に分けられていない所定の情報が記載されたラベルを容器本体２に貼着させてもよい。例えば、商品名の一部が角形成辺２００に対応する折り目を跨いで表示されていてもよい。
【００３４】
例えば、ラベルに商品名と容器本体２に内包される内容物の成分の情報が記載されている場合、商品名と成分の情報を、上下に分けてラベルに記載し、そのラベルを角形成辺２００を跨ぐように貼着させてもよい。
【００３５】
上述した第１の領域及び第２の領域のように明確にラベルが分けられていなくても、本考案の容器１は、このラベルを貼着させることで、容器の周囲を囲むような大きなラベル必要としない。容器に対して比較的小さなラベルであるため、比較的容易にラベルを容器本体に貼着させることができ、ラベルが容器本体の底面に対して多少傾いても、ラベルのずれをあまり感じさせることがなく、見た目に綺麗な容器とすることができる。そして、容器の角度を変えることで、ラベルに記載された全ての情報を認識することができる。そして、このラベルに商品名と容器本体に内包される内容物の成分の情報が記載された場合、これにより、容器に内包される内容物の商品名と成分の情報がわかる。また、容器の角度を変えて見ることで、商品名と成分の情報の両方を見ることができる。
【図面の簡単な説明】
【００３６】
【図１】従来の容器の一例を示す図である。（ａ）は、商品名を記したラベルが貼着された側面が見える方向からの斜視図であり、（ｂ）は、商品名を記したラベルが貼着された側面の反対側の面が見える方向からの斜視図である。
【図２】本考案の容器の容器本体の一例を示す斜視図である。
【図３】本考案の容器に貼着されるラベルの一例を示す図である。
【図４】本考案の容器の一例を示す図である。
【図５】本考案の容器を棚に陳列した状態を示す図である。
【符号の説明】
【００３７】
１  容器
２  容器本体
２０  側面
２００  角形成辺
２１  底面
２１０  頂角
２２  上面
２２０  頂角
２３  開口
２４  蓋部
３  ラベル
３０  商品名記載欄
３１  成分表示欄
３２  間隔
【図１】
0003110573.tif 000003
【図２】
0003110573.tif 000004
【図３】
0003110573.tif 000005
【図４】
0003110573.tif 000006
【図５】
0003110573.tif 000007